(57)【要約】【課題】複数の加入者端末に同一のＴＥＩを割当てた状態で通信を行うことが出来るレイヤ２終端装置を提供する。【解決手段】ＩＳＤＮデジタル交換機システムでレイヤ２の信号転送処理を行うレイヤ２終端装置であって、ＩＳＤＮデジタル交換機システムが加入者端末に割り当てるシステムＴＥＩとそのシステムＴＥＩに対応する終端ＴＥＩを含むＴＥＩ管理テーブルと、着信呼と発信呼の各々についてＴＥＩ管理テーブルに基づくＴＥＩについての変換処理を行うＴＥＩ変換手段と、を含むことを特徴とする。【選択図】図４
2008048146.tif 000002
【特許請求の範囲】
【請求項１】
ＩＳＤＮデジタル交換機システムでレイヤ２の信号転送処理を行うレイヤ２終端装置であって、
前記ＩＳＤＮデジタル交換機システムが加入者端末に割り当てるシステムＴＥＩと前記システムＴＥＩに対応する終端ＴＥＩを含むＴＥＩ管理テーブルと、
着信呼と発信呼の各々について前記ＴＥＩ管理テーブルに基づくＴＥＩについての変換処理を行うＴＥＩ変換手段と、を含むことを特徴とするレイヤ２終端装置。
【請求項２】
ＴＥＩ非自動設定端末である加入者端末から送出されたＴＥＩ情報に基づいて前記ＴＥＩ管理テーブルを更新する更新手段を有することを特徴とする請求項１記載のレイヤ２終端装置。
【発明の詳細な説明】
【技術分野】
【０００１】
本発明は、ＩＳＤＮ交換機システムでレイヤ２の信号転送処理を行うレイヤ２終端装置に関する。
【背景技術】
【０００２】
特開平５−２０７０１３号公報、特開平５−２０７０１４号公報には、回線を使用するときに加入者端末とレイヤ２終端装置を集積スイッチにより接続する装置の記載がある。この装置では、加入者端末と空いているレイヤ２終端装置を集積スイッチにより接続し、接続した加入者端末に割り当てた端末終端点識別子（以下、「ＴＥＩ」という。）をレイヤ２終端装置へ登録して通信を行う。通信の完了時には、レイヤ２終端装置へ登録したＴＥＩを削除して、加入者端末とレイヤ２終端装置を接続している集積スイッチを開放する。
【特許文献１】特開平５−２０７０１３号公報
【特許文献２】特開平５−２０７０１４号公報
【発明の開示】
【発明が解決しようとする課題】
【０００３】
上記の装置においては、加入者端末の各々に割り当てたＴＥＩを基に加入者端末の各々を識別しているため、加入者端末の各々に異なるＴＥＩを割り当てる必要がある。それ故、加入者端末にＴＥＩを割り当てるときに、複数の加入者端末に同一のＴＥＩが割り当てられると、割り当てられたＴＥＩを解除して再度ＴＥＩを割り当てる必要が生じる。また、複数の加入者端末に同一のＴＥＩが割り当てられないようにするためには、ＴＥＩの使用状況を管理し、加入者端末の各々に異なるＴＥＩが割り当てられるようにしなければならない。加入者端末に割り当てられているＴＥＩと、まだ加入者端末に割り当てられていないＴＥＩを区別できるようにしておき、ＴＥＩを割り当てる際には、まだ加入者端末に割り当てられていないＴＥＩの中から新たに加入者端末に割り当てるＴＥＩを選ぶ必要がある。更に、加入者端末へ割り当ることの出来るＴＥＩを確保するためには、以前に割り当てたＴＥＩが現在も使用されているか確認し、使用されていないＴＥＩを加入者端末へ割り当て可能なＴＥＩとして管理する必要もある。
【０００４】
本発明は上記した点に鑑みてなされたものであり、複数の加入者端末に同一のＴＥＩを割り当てた状態で通信を行うことが出来るレイヤ２終端装置を提供することを目的とする。
【課題を解決するための手段】
【０００５】
本発明によるレイヤ２終端装置は、ＩＳＤＮデジタル交換機システムが加入者端末に割り当てるシステムＴＥＩとそのシステムＴＥＩに対応する終端ＴＥＩを含むＴＥＩ管理テーブルと、着信呼と発信呼の各々についてＴＥＩ管理テーブルに基づくＴＥＩについての変換処理を行うＴＥＩ変換手段と、を含むことを特徴とする。
【発明を実施するための形態】
【０００６】
以下、本発明の実施例について図面を用いて詳細に説明する。
【０００７】
図１は、本発明に係るレイヤ２終端装置を用いたＩＳＤＮ交換機システムの実施例を示す図である。ＩＳＤＮデジタル交換機１は、デジタル回線接続装置３（ＤＳＵ）を介して加入者端末２と接続している。加入者端末としては、例えば、電話機、ＦＡＸ、ＰＣ等がある。ＩＳＤＮデジタル交換機１には、ＩＳＤＮのレイヤ２に関する信号転送処理を行うレイヤ２終端装置４が含まれている。レイヤ２終端装置４は、デジタル回線接続装置３とレイヤ２終端装置４との接続を行う中継網インターフェース４１と、ＴＥＩについての変換処理を行うＴＥＩ変換回路４２と、レイヤ２の信号転送処理を行うレイヤ２終端回路４３から構成されている。
【０００８】
ＴＥＩ変換回路４２は、ＩＳＤＮデジタル交換機システムが加入者端末に割り当てたシステムＴＥＩとそのシステムＴＥＩに対応した終端ＴＥＩからなるＴＥＩ管理テーブル４２１と、ＴＥＩ管理テーブルに基づくＴＥＩについての変換処理を行うＴＥＩ変換手段４２２と、ＴＥＩ管理テーブルを更新する更新手段４２３から構成されている。図２に、ＴＥＩ管理テーブル４２１の例を示す。ＴＥＩ管理テーブル４２１には、ＩＳＤＮデジタル交換機システムにおいて割り当てられるＴＥＩ、すなわちシステムＴＥＩと、終端回路において端末毎に割り当てられるＴＥＩ、すなわち終端ＴＥＩの２つの項目がある。ＩＳＤＮレイヤ２の規格により、加入者端末のＴＥＩは「０」から「１２６」までの値をとることが出来る。ＴＥＩ管理テーブル４２１のシステムＴＥＩの項目には、同じ行の終端ＴＥＩに対応する加入者端末のシステムＴＥＩが登録される。ＴＥＩ管理テーブル４２１でシステムＴＥＩとして「１２７」が割り当てられているものは、該当する加入者端末がないことを意味している。ＴＥＩ変換手段４２２は、加入者端末２からレイヤ２終端回路４３を経てＩＳＤＮデジタル交換機１へ至る発信呼とＩＳＤＮデジタル交換機１からレイヤ２終端回路４３を経て加入者端末２へ至る着信呼の各々について、ＴＥＩ管理テーブル４２１に基づくＴＥＩについての変換処理を行う。加入者端末２からレイヤ２終端回路４３を経てＩＳＤＮデジタル交換機１へ至る発信呼について、ＴＥＩ変換手段４２２は、システムＴＥＩから該当する終端ＴＥＩへ変換を行う。また、ＩＳＤＮデジタル交換機１からレイヤ２終端回路４３を経て加入者端末２へ至る着信呼については、終端ＴＥＩから該当するシステムＴＥＩへ変換を行う。
【０００９】
ＩＳＤＮデジタル交換機１に接続される加入者端末２には、ＴＥＩの割り当て方により区別されるＴＥＩ自動設定端末とＴＥＩ非自動設定端末の２種類の加入者端末がある。ＴＥＩ自動設定端末は、加入者端末に割り当てられるＴＥＩをＩＳＤＮデジタル交換機システムに要求し、ＩＳＤＮデジタル交換機システムから通知されたＴＥＩを加入者端末のＴＥＩとする。ＴＥＩ非自動設定端末は、予め加入者端末にＴＥＩの値が設定されており、そのＴＥＩを用いて発信呼の送出及び着信呼の受信を行う。ＩＳＤＮレイヤ２の規格により、ＴＥＩ非自動設定端末はＴＥＩとして「０」から「６３」の値が、ＴＥＩ自動設定端末はＴＥＩとして「６４」から「１２６」の値が割り当てられている。
【００１０】
以下において、ＩＳＤＮデジタル交換機１に接続している加入者端末２がＴＥＩ自動設定端末である場合の動作を説明する。
【００１１】
図３は、ＴＥＩ変換回路４２が、ＴＥＩ自動設定端末である加入者端末２に、ＩＳＤＮデジタル交換機システムから割り当てられたＴＥＩを、ＴＥＩ管理テーブルに登録する動作を示している。加入者端末２からＩＳＤＮデジタル交換機システムへＴＥＩの割り当て要求があると（ステップ３０１）、ＴＥＩ変換回路４２は、ＩＳＤＮデジタル交換機システムから加入者端末２へＴＥＩの通知があるまで待つ（ステップ３０２）。ＴＥＩの通知があると、ＴＥＩ変換回路４２は、そのＴＥＩの値をＴＥＩ管理テーブル４２１へ登録する（ステップ３０３）。
【００１２】
図４は、ＩＳＤＮデジタル交換機１に接続している加入者端末Ａと加入者端末Ｂの両方にＴＥＩとして「６４」が割り当てられたときの動作を説明する図である。また、そのときのＴＥＩ管理テーブル４２１の内容を図５に示す。加入者端末ＡのシステムＴＥＩ「６４」に対応する終端ＴＥＩとして「９６」が、加入者端末ＢのシステムＴＥＩ「６４」に対応する終端ＴＥＩとして「９７」が割り当てられている。
【００１３】
図４において、加入者端末ＡからＩＳＤＮデジタル交換機１に向けて送出された呼は、デジタル回線接続装置３及び中継網インターフェース４１を通過して、ＴＥＩ変換回路４２に到達する。加入者端末ＡからＩＳＤＮデジタル交換機１に向けた呼のＴＥＩの値は、加入者端末Ａから送出された時点では加入者端末Ａに割り当てられたシステムＴＥＩの値「６４」である。ＴＥＩ変換回路４２は、呼を受信すると、まず、呼の発呼元の加入者端末の判別を行う。受信した呼が時分割多重されている場合は、受信タイミングによって加入者端末を判別する。受信した呼が時分割多重されていない場合は、受信した呼の情報を基に加入者端末を判別する。ここで、呼の発呼元の加入者端末が加入者端末Ａであると判別されたとする。加入者端末を判別した後、ＴＥＩ変換回路４２は、受信した呼のＴＥＩについての変換処理を行う。ＴＥＩ管理テーブル４２１を基に、送出された呼のＴＥＩの値を、加入者端末Ａに割り当てられたシステムＴＥＩの値「６４」から対応する終端ＴＥＩの値「９６」へ変換する。このようにして、加入者端末Ａから送出された呼は、ＴＥＩ変換回路４２を通過するときにＴＥＩの値が「９６」に変換されて、レイヤ２終端回路４３に到達する。
【００１４】
一方、ＩＳＤＮデジタル交換機１から加入者端末Ａへ向けた呼は、ＴＥＩ変換回路４２で終端ＴＥＩからシステムＴＥＩへの変換が行われる。ＩＳＤＮデジタル交換機１から加入者端末Ａへ向けた呼のＴＥＩの値は、レイヤ２終端回路４３から送出された時点では加入者端末Ａに該当する終端ＴＥＩの値「９６」である。レイヤ２終端回路４３から送出された呼は、ＴＥＩ変換回路４２に到達する。ＴＥＩ変換回路４２は、ＴＥＩ管理テーブル４２１を基に、呼のＴＥＩの値を終端ＴＥＩの値「９６」から対応するシステムＴＥＩの値である「６４」へ変換する。このようにして、ＩＳＤＮデジタル交換機１から加入者端末Ａへ向けた呼は、ＴＥＩ変換回路４２を通過するとＴＥＩの値が「６４」になる。ＴＥＩ変換回路４２を通過した呼は、中継網インターフェース４１及びデジタル回線接続装置３を通過して加入者端末Ａに到達する。
【００１５】
次に、加入者端末Ｂで送受信される呼のＴＥＩ変換処理の動作について説明する。加入者端末Ｂには、加入者端末Ａと同じようにシステムＴＥＩの値として「６４」が割り当てられている。加入者端末ＢからＩＳＤＮデジタル交換機１に向けて送出された呼は、デジタル回線接続装置３及び中継網インターフェース４１を通過して、ＴＥＩ変換回路４２に到達する。加入者端末ＢからＩＳＤＮデジタル交換機１に向けた呼のＴＥＩの値は、加入者端末Ｂから送出された時点では加入者端末Ｂに割り当てられたシステムＴＥＩの値「６４」である。ＴＥＩ変換回路４２は、呼を受信すると、まず、呼の発呼元の加入者端末の判別を行う。ここで、呼の発呼元の加入者端末が加入者端末Ｂであると判別されたとする。加入者端末を判別した後、ＴＥＩ変換回路４２は、受信した呼のＴＥＩについての変換処理を行う。ＴＥＩ管理テーブル４２１を基に、送出された呼のＴＥＩの値を、加入者端末Ｂに割り当てられたシステムＴＥＩの値「６４」から対応する終端ＴＥＩの値「９７」へ変換する。このようにして、加入者端末Ｂから送出された呼は、ＴＥＩ変換回路４２を通過するときにＴＥＩの値が「９７」に変換されて、レイヤ２終端回路４３に到達する。
【００１６】
一方、ＩＳＤＮデジタル交換機１から加入者端末Ｂへ向けた呼は、ＴＥＩ変換回路４２で終端ＴＥＩからシステムＴＥＩへの変換が行われる。ＩＳＤＮデジタル交換機１から加入者端末Ｂへ向けた呼のＴＥＩの値は、レイヤ２終端回路４３から送出された時点では加入者端末Ｂに該当する終端ＴＥＩの値「９７」である。レイヤ２終端回路４３から送出された呼は、ＴＥＩ変換回路４２に到達する。ＴＥＩ変換回路４２は、ＴＥＩ管理テーブル４２１を基に、呼のＴＥＩの値を終端ＴＥＩの値「９７」から対応するシステムＴＥＩの値である「６４」へ変換する。このようにして、ＩＳＤＮデジタル交換機１から加入者端末Ｂへ向けた呼は、ＴＥＩ変換回路４２を通過するとＴＥＩの値が「６４」になる。ＴＥＩ変換回路４２を通過した呼は、中継網インターフェース４１及びデジタル回線接続装置３を通過して加入者端末Ｂに到達する。
【００１７】
以下において、ＩＳＤＮデジタル交換機１に接続している加入者端末２がＴＥＩ非自動設定端末である場合の動作を説明する。
【００１８】
図６は、ＴＥＩ非自動設定端末である加入者端末２に予め設定されているＴＥＩをＴＥＩ管理テーブルに登録する動作を示している。ＴＥＩ変換回路４２は、受信した呼の発呼元の加入者端末がＴＥＩ非自動設定端末かＴＥＩ自動設定端末かどうかの判定を行う（ステップ６０１）。呼の発呼元の加入者端末がＴＥＩ非自動設定端末の場合は、その呼のＴＥＩの値をＴＥＩ管理テーブル４２１へ登録する（ステップ６０２）。
【００１９】
図７は、ＴＥＩ非自動設定端末である加入者端末Ａで送受信される呼のＴＥＩ変換処理の動作について説明する図である。このときの加入者端末Ａには、予めＴＥＩの値として「０」が設定されている。また、そのときのＴＥＩ管理テーブル４２１の内容を図８に示す。加入者端末ＡのシステムＴＥＩ「０」に対応する終端ＴＥＩとして「９６」が割り当てられている。
【００２０】
図７において、加入者端末ＡからＩＳＤＮデジタル交換機１に向けて送出された呼は、デジタル回線接続装置３及び中継網インターフェース４１を通過して、ＴＥＩ変換回路４２に到達する。加入者端末ＡからＩＳＤＮデジタル交換機１に向けた呼のＴＥＩの値は、加入者端末Ａから送出された時点では加入者端末ＡのシステムＴＥＩの値「０」である。ＴＥＩ変換回路４２は、呼を受信すると、まず、呼の発呼元の加入者端末の判別を行う。ここで、呼の発呼元の加入者端末が加入者端末Ａであると判別されたとする。加入者端末を判別した後、ＴＥＩ変換回路４２は、受信した呼のＴＥＩについての変換処理を行う。ＴＥＩ管理テーブル４２１を基に、送出された呼のＴＥＩの値を加入者端末ＡのシステムＴＥＩの値「０」から対応する終端ＴＥＩの値「９６」へ変換する。このようにして、加入者端末Ａから送出された呼は、ＴＥＩ変換回路４２を通過するときにＴＥＩの値が「９６」に変換されて、レイヤ２終端回路４３に到達する。
【００２１】
一方、ＩＳＤＮデジタル交換機１から加入者端末Ａへ向けた呼は、ＴＥＩ変換回路４２で終端ＴＥＩからシステムＴＥＩへの変換が行われる。ＩＳＤＮデジタル交換機１から加入者端末Ａへ向けた呼のＴＥＩの値は、レイヤ２終端回路４３から送出された時点では加入者端末Ａに該当する終端ＴＥＩの値「９６」である。レイヤ２終端回路４３から送出された呼は、ＴＥＩ変換回路４２に到達する。ＴＥＩ変換回路４２は、ＴＥＩ管理テーブル４２１を基に、呼のＴＥＩの値を終端ＴＥＩの値「９６」から対応するシステムＴＥＩの値である「０」へ変換する。このようにして、ＩＳＤＮデジタル交換機１から加入者端末Ａへ向けた呼は、ＴＥＩ変換回路４２を通過するとＴＥＩの値が「０」になる。ＴＥＩ変換回路４２を通過した呼は、中継網インターフェース４１及びデジタル回線接続装置３を通過して加入者端末Ａに到達する。
【００２２】
以上の説明から明らかなように、本発明のレイヤ２終端装置によれば、加入者端末の各々に割り当てられているシステムＴＥＩとそれに対応する終端ＴＥＩとの変換を行うことにより、複数の加入者端末に対して同一のＴＥＩを割り当てることが出来る。
【図面の簡単な説明】
【００２３】
【図１】本発明によるレイヤ２終端装置を用いたＩＳＤＮ交換機システムを示すブロック図である。
【図２】図１のレイヤ２終端装置のＴＥＩ管理テーブルの内容の例を示す図である。
【図３】図１のレイヤ２終端装置のＴＥＩ自動設定端末用ＴＥＩ登録ルーチンの動作を示すフローチャートである。
【図４】図１のレイヤ２終端装置のＴＥＩ変換動作を示すブロック図である。
【図５】図１のレイヤ２終端装置のＴＥＩ管理テーブルの内容の例を示す図である。
【図６】図１のレイヤ２終端装置のＴＥＩ非自動設定端末用ＴＥＩ登録ルーチンの動作を示すフローチャートである。
【図７】図１のレイヤ２終端装置のＴＥＩ変換動作を示すブロック図である。
【図８】図１のレイヤ２終端装置のＴＥＩ管理テーブルの内容の例を示す図である。
【符号の説明】
【００２４】
１  ＩＳＤＮデジタル交換機
２  加入者端末
３  デジタル回線接続装置
４  レイヤ２終端装置
４１  中継網インターフェース
４２  ＴＥＩ変換回路
４３  レイヤ２終端回路
４２１  ＴＥＩ管理テーブル
４２２  ＴＥＩ変換手段
４２３  更新手段
【図１】
2008048146.tif 000003
【図２】
2008048146.tif 000004
【図３】
2008048146.tif 000005
【図４】
2008048146.tif 000006
【図５】
2008048146.tif 000007
【図６】
2008048146.tif 000008
【図７】
2008048146.tif 000009
【図８】
2008048146.tif 000010